(57)【要約】【課題】流し台の高さと身長との関係が適切でない場合であっても前傾姿勢による腹部や腰部への負担を回避して、長時間の流し台での作業でも快適にできるようにする事。【解決手段】身長が低い主婦の場合には前傾姿勢が浅く身長が高い主婦の場合には逆に前傾姿勢が深くなる。そこで流し台前縁を奥行き方向に広くなだらかな曲面で構成する事により、身体をもたれかけさせた時、身長差にかかわらず腹部にかかる局所的な荷重を分散して身体を心地よく支える。【選択図】図１
2004065999.tif 000002
【特許請求の範囲】
【請求項１】
　人体と接触する部分を加温する事を特徴とする流し台及び洗面台において、人体と接触する部分の前縁の形状が奥行き方向に広くなだらかに連続する曲面で構成される事を特徴とする流し台及び洗面台。
　
　
　
【発明の詳細な説明】
【技術分野】
【０００１】
　この発明は台所の流し台や洗面台のような水洗作業などの為に立ち仕事を行う事を前提に制作された器具の改良に関する。以下の説明においては流し台を例にして説明する。
　家庭における主婦の労働の内、食事の準備、提供、後かたづけは毎日の仕事の内でも欠く事のできない重要なものである。この時、食材や食器などの洗浄作業は流し台の高さと身長の関係が適切でなければ前屈みの姿勢になる事を強制されるので腰部に大きな負担がかかりつらい作業になっている。そこで多くの主婦は流し台の前縁に体重をあずけて作業をする事がおおい。
　この姿勢の時、人体との接触部分を加温する事を特徴とする流し台において、流し台と腹部との接触部分の面積を故意に広くとる事によって腹部にかかる局所的な荷重を分散して身体を心地よく支え、流し台の高さと身長との関係が適切でない場合であっても前傾姿勢による腹部や腰部への負担を回避して、身長差にかかわらずだれでも快適に使用できる流し台を安価に提供しようとするものである。
　
【背景技術】
【０００２】
　人体と流し台との間に器具を配し立ち姿勢を保持して長時間作業しても足腰にかかる負担を軽減する事ができるものとして特開平０７−２０４０３８、特開平０９−１６８４８７などが提案されている。
　
【０００３】
　しかし、これらはいずれも流し台の本体前縁にそって棒状体などを配設して身体をささえようとする補助機構であり、加温機能と併設して用いる事を前提としていない。従って流し台の使用者の立場からみれば、従来の手段による身体保持方法は作業開始時にはそれらの身体支持機構を冷たく感じるであろうし、また流し台で水洗作業をしない時にはそれらの補助機構そのものが通行の邪魔となり違和感を与えるという不都合があるため、この種の流し台を広く普及せしめる事ができなかった。
【特許文献１】特開平０７−２０４０３８
【特許文献２】特開平０９−１６８４８７
【発明の開示】
【発明が解決しようとする課題】
【０００４】
　この発明が解決しようとする課題の第一点は、作業中に接触する身体の部位から体温が吸収される事を防止する点にある。
　課題の第二点は、身長に関わらずだれでも快適に作業できる流し台を安価に提供しようとする点にある。
　
【課題を解決するための手段】
【０００５】
　この発明の第一の手段は流し台での作業中に身体と接触する部分を加温するものであり、第二の手段は積極的に身体をもたれかけさせる部分として流し台本体の一部分を流用する点にある。
　一般的に流し台の高さは身長÷２＋５センチが最適とされている。この算定基準は流し台に身体をもたれかけない状態で最も作業性のよい高さのものである。しかしこの発明は従来のそのような視点には立たず、流し台の前縁を身体を寄りかからせる部分として流用する事と、加温機能とを組み合わせる事により、上述の算定基準の拘束から離れたものである。
　具体的な手段のポイントの第一は広い面積で身体を受け止める事であり、ポイントの第二は身長差によって生ずる前傾姿勢の角度の相違による人体と流し台との接触の際の違和感を解消する事にある。流し台上面１の高さを一定とした時、一般的に身長が低い主婦の場合には前傾姿勢が浅く身長が高い主婦の場合には逆に前傾姿勢が深くなる。従って流し台と人体とが接触する角度は身長によって変化するのであるが図１に示すごとく流し台前縁を広くなだらかな曲面で形成する事によってどのような前傾姿勢であっても柔軟に対応できる。前縁の形状４はこの実施例で用いた曲線であって１対２の比率の楕円の４分の１の部分を用いた。これによって前傾姿勢の角度に関わらず広い面積で人体に接触するので腹部にかかる局所的な荷重を分散して身体を心地よく支える事ができ、その結果誰がもたれかかっても違和感がなく長時間に及ぶ作業でも疲労が少ない。
　
【発明の効果】
【０００６】
　流し台の前縁が広くなだらかな曲面で構成されるので身長差に関わらず主婦は違和感なく流し台にもたれかかって作業ができる。この時主婦と流し台とが接触する部分が加温されているので極めて心地よく長時間にわたり快適に作業ができるうえに婦人特有の疾病の予防ができる。
　
【発明を実施するための最良の形態】
【０００７】
　図１に示す如く、前縁の形状４はこの実施例で用いた曲線であって１対２の比率の楕円の４分の１の部分を用いている。この時流し台の前縁はおよそ７５ｍｍ前方にせり出しているが、この距離は標準的な身長と体重の主婦が流し台の前に立ったとき、爪先が流し台の前面の最下部に接触している状態で軽い前傾姿勢となる。従ってより好ましくは流し台下部に爪先部分を収容する事ができる充分な空間を確保すれば上記の７５ｍｍの前方へのせり出しは必要なく空間効率の良い流し台となる事は自明である。
　さらに、前縁の形状４は楕円の４分の１よりも少し広い部分を用いればより好ましい。即ち前縁下部は少し丸みを帯びて人体に接触するのでデザイン上の観点からも柔らかい感触を与えるであろうし、また前縁上部は流し台上面１よりも少し高くなるので流し台上面１に飛散した水滴等が人体方向へ流れず接触部２を濡らす事がなくなるからである。
　また図１に示す実施例では流し台前縁の形状４は左右方向に直線であるが，これは本発明にとって必ずしも必要な条件ではなく，人体との接触部分を増加させる意味で奥行き方向に凹状の湾曲部を設ける事や，デザイン上の観点から凸状に形成する事や、あるいは上下方向に湾曲部を設定する事などを否定しているものではない。
　この発明の思想は流し台や洗面台に限らず立ち仕事を行う事を前提に制作された作業台などの改良にも応用できるものである。
　
【実施例１】
【０００８】
　図１は流し台の前縁の詳細な形状である。１は流し台上面、２は接触部、３は加温部、４は前縁の形状である。
接触部２のポイントの第一は広い面積で身体を受け止める事であり、ポイントの第二は身長差によって生ずる前傾姿勢の角度の相違による人体と流し台との接触の際の違和感を解消する事にある。図１に示すごとく流し台前縁を広くなだらかな曲面で形成する事によってどのような前傾姿勢であっても柔軟に対応できる。前縁の形状４はこの実施例で用いた曲線であって１対２の比率の楕円の４分の１の部分である。
　
【図面の簡単な説明】
【０００９】
【図１】流し台の前縁の詳細な形状図
【符号の説明】
【００１０】
　１　　流し台上面
　２　　接触部
　３　　加温部
　４　　前縁の形状
　
　
　
【図１】
2004065999.tif 000003
【手続補正書】
【提出日】平成15年10月14日(2003.10.14)
【手続補正１】
【補正対象書類名】特許請求の範囲
【補正対象項目名】全文
【補正方法】変更
【補正の内容】
【特許請求の範囲】
【請求項１】
　人体と接触する部分を加温するか、または断熱処理する事を特徴とする流し台及び洗面台において、人体と接触する部分の前縁の形状が奥行き方向に広くなだらかに連続する曲面で構成される事を特徴とする流し台及び洗面台。
　
　
【手続補正２】
【補正対象書類名】明細書
【補正対象項目名】全文
【補正方法】変更
【補正の内容】
【発明の詳細な説明】
【技術分野】
【０００１】
　この発明は台所の流し台や洗面台のような水洗作業などの為に立ち仕事を行う事を前提に制作された器具の改良に関する。以下の説明においては流し台を例にして説明する。
　家庭における主婦の労働の内、食事の準備、提供、後かたづけは毎日の仕事の内でも欠く事のできない重要なものである。この時、食材や食器などの洗浄作業は流し台の高さと身長の関係が適切でなければ前屈みの姿勢になる事を強制されるので腰部に大きな負担がかかりつらい作業になっている。そこで多くの主婦は流し台の前縁に体重をあずけて作業をする事がおおい。
　この姿勢の時、人体との接触部分を加温する事を特徴とする流し台において、流し台と腹部との接触部分の面積を故意に広くとる事によって腹部にかかる局所的な荷重を分散して身体を心地よく支え、流し台の高さと身長との関係が適切でない場合であっても前傾姿勢による腹部や腰部への負担を回避して、身長差にかかわらずだれでも快適に使用できる流し台を安価に提供しようとするものである。
　
【背景技術】
【０００２】
　人体と流し台との間に器具を配し立ち姿勢を保持して長時間作業しても足腰にかかる負担を軽減する事ができるものとして特開平０７−２０４０３８、特開平０９−１６８４８７などが提案されている。
　
【０００３】
　しかし、これらはいずれも流し台の本体前縁にそって棒状体などを配設して身体をささえようとする補助機構であり、加温機能と併設して用いる事を前提としていない。従って流し台の使用者の立場からみれば、従来の手段による身体保持方法は作業開始時にはそれらの身体支持機構を冷たく感じるであろうし、また流し台で水洗作業をしない時にはそれらの補助機構そのものが通行の邪魔となり違和感を与えるという不都合があるため、この種の流し台を広く普及せしめる事ができなかった。
【特許文献１】特開平０７−２０４０３８
【特許文献２】特開平０９−１６８４８７
【発明の開示】
【発明が解決しようとする課題】
【０００４】
　この発明が解決しようとする課題の第一点は、作業中に接触する身体の部位から体温が吸収される事を防止する点にある。
　課題の第二点は、身長に関わらずだれでも快適に作業できる流し台を安価に提供しようとする点にある。
　
【課題を解決するための手段】
【０００５】
　この発明の第一の手段は流し台での作業中に身体と接触する部分を加温するものであり、第二の手段は積極的に身体をもたれかけさせる部分として流し台本体の一部分を流用する点にある。
　一般的に流し台の高さは身長÷２＋５センチが最適とされている。この算定基準は流し台に身体をもたれかけない状態で最も作業性のよい高さのものである。しかしこの発明は従来のそのような視点には立たず、流し台の前縁を身体を寄りかからせる部分として流用する事と、加温機能とを組み合わせる事により、上述の算定基準の拘束から離れたものである。
　具体的な手段のポイントの第一は広い面積で身体を受け止める事であり、ポイントの第二は身長差によって生ずる前傾姿勢の角度の相違による人体と流し台との接触の際の違和感を解消する事にある。流し台上面１の高さを一定とした時、一般的に身長が低い主婦の場合には前傾姿勢が浅く身長が高い主婦の場合には逆に前傾姿勢が深くなる。従って流し台と人体とが接触する角度は身長によって変化するのであるが図１に示すごとく流し台前縁を広くなだらかな曲面で形成する事によってどのような前傾姿勢であっても柔軟に対応できる。前縁の形状４はこの実施例で用いた曲線であって１対２の比率の楕円の４分の１の部分を用いた。これによって前傾姿勢の角度に関わらず広い面積で人体に接触するので腹部にかかる局所的な荷重を分散して身体を心地よく支える事ができ、その結果誰がもたれかかっても違和感がなく長時間に及ぶ作業でも疲労が少ない。
　
【発明の効果】
【０００６】
　流し台の前縁が広くなだらかな曲面で構成されるので身長差に関わらず主婦は違和感なく流し台にもたれかかって作業ができる。この時主婦と流し台とが接触する部分が加温されているので極めて心地よく長時間にわたり快適に作業ができるうえに婦人特有の疾病の予防ができる。
　
【発明を実施するための最良の形態】
【０００７】
　図１に示す如く、前縁の形状４はこの実施例で用いた曲線であって１対２の比率の楕円の４分の１の部分を用いている。この時流し台の前縁はおよそ７５ｍｍ前方にせり出しているが、この距離は標準的な身長と体重の主婦が流し台の前に立ったとき、足先が流し台の前面の最下部に接触している状態で軽い前傾姿勢となる。従ってより好ましくは流し台下部に足先部分を収容する事ができる充分な空間を確保すれば上記の７５ｍｍの前方へのせり出しは必要なく空間効率の良い流し台となる事は自明である。また逆に、全てのせり出し部分をなくすのでなく、流し台前縁に飛散した水滴が床方向に落下した時に流し台下部の扉の表面やその取っ手などの構造物に付着しない程度のせりだし部分を残しておく事も好ましい処置である事はいうまでもない。この時には、このせり出し部分と流し台の前面上部との間にできる空間を利用して断熱器具などのオプション器具等を固定するための機構を配する事ができる事はいうまでもない。
　さらに、流し台前縁の最下端部分を切断面のまま放置するのではなく、流し台の内側方向に適当な半径の曲面で折り曲げて形成しておけば、手指を怪我する事なくより安全であると同時に、人体が寄りかかった時に流し台前縁が受ける応力に対してより大きな余裕をもって受け止める事ができる事は自明である。
　さらに、前縁の形状４は楕円の４分の１よりも少し広い部分を用いればより好ましい。即ち前縁下部は少し丸みを帯びて人体に接触するのでデザイン上の観点からも柔らかい感触を与えるであろうし、また前縁上部は流し台上面１よりも少し高くなるので流し台上面１に飛散した水滴等が人体方向へ流れず接触部２を濡らす事がなくなるからである。
　また図１に示す実施例では流し台前縁の形状４は左右方向に直線であるが，これは本発明にとって必ずしも必要な条件ではなく，人体との接触部分を増加させる意味で奥行き方向に凹状の湾曲部を設ける事や，デザイン上の観点から凸状に形成する事や、あるいは上下方向に湾曲部を設定する事などを否定しているものではない。
　また本発明は流し台前縁の全領域にわたって広くなだらかに形成する必要はなく、必要な部分に限定して施す事を否定しているものではない。
　この発明の思想は流し台や洗面台に限らず立ち仕事を行う事を前提に制作された作業台などの改良にも応用できるものである。
　
【実施例１】
【０００８】
　図１は流し台の前縁の詳細な形状である。１は流し台上面、２は接触部、３は加温部、４は前縁の形状である。
接触部２のポイントの第一は広い面積で身体を受け止める事であり、ポイントの第二は身長差によって生ずる前傾姿勢の角度の相違による人体と流し台との接触の際の違和感を解消する事にある。図１に示すごとく流し台前縁を広くなだらかな曲面で形成する事によってどのような前傾姿勢であっても柔軟に対応できる。前縁の形状４はこの実施例で用いた曲線であって１対２の比率の楕円の４分の１の部分である。
　
【図面の簡単な説明】
【０００９】
【図１】流し台の前縁の詳細な形状図
【符号の説明】
【００１０】
　１　　流し台上面
　２　　接触部
　３　　加温部
　４　　前縁の形状
【手続補正書】
【提出日】平成15年10月16日(2003.10.16)
【手続補正１】
【補正対象書類名】明細書
【補正対象項目名】全文
【補正方法】変更
【補正の内容】
【発明の詳細な説明】
【技術分野】
【０００１】
　この発明は台所の流し台や洗面台のような水洗作業などの為に立ち仕事を行う事を前提に制作された器具の改良に関する。以下の説明においては流し台を例にして説明する。
　家庭における主婦の労働の内、食事の準備、提供、後かたづけは毎日の仕事の内でも欠く事のできない重要なものである。この時、食材や食器などの洗浄作業は流し台の高さと身長の関係が適切でなければ前屈みの姿勢になる事を強制されるので腰部に大きな負担がかかりつらい作業になっている。そこで多くの主婦は流し台の前縁に体重をあずけて作業をする事がおおい。
　この姿勢の時、人体との接触部分を加温する事を特徴とする流し台において、流し台と腹部との接触部分の面積を故意に広くとる事によって腹部にかかる局所的な荷重を分散して身体を心地よく支え、流し台の高さと身長との関係が適切でない場合であっても前傾姿勢による腹部や腰部への負担を回避して、身長差にかかわらずだれでも快適に使用できる流し台を安価に提供しようとするものである。
　
【背景技術】
【０００２】
　人体と流し台との間に器具を配し立ち姿勢を保持して長時間作業しても足腰にかかる負担を軽減する事ができるものとして特開平０７−２０４０３８、特開平０９−１６８４８７などが提案されている。
　
【０００３】
　しかし、これらはいずれも流し台の本体前縁にそって棒状体などを配設して身体をささえようとする補助機構であり、加温機能と併設して用いる事を前提としていない。従って流し台の使用者の立場からみれば、従来の手段による身体保持方法は作業開始時にはそれらの身体支持機構を冷たく感じるであろうし、また流し台で水洗作業をしない時にはそれらの補助機構そのものが通行の邪魔となり違和感を与えるという不都合があるため、この種の流し台を広く普及せしめる事ができなかった。
【特許文献１】特開平０７−２０４０３８
【特許文献２】特開平０９−１６８４８７
【発明の開示】
【発明が解決しようとする課題】
【０００４】
　この発明が解決しようとする課題の第一点は、作業中に接触する身体の部位から体温が吸収される事を防止する点にある。
　課題の第二点は、身長に関わらずだれでも快適に作業できる流し台を安価に提供しようとする点にある。
　
【課題を解決するための手段】
【０００５】
　この発明の第一の手段は流し台での作業中に身体と接触する部分を加温するものであり、第二の手段は積極的に身体をもたれかけさせる部分として流し台本体の一部分を流用する点にある。
　一般的に流し台の高さは身長÷２＋５センチが最適とされている。この算定基準は流し台に身体をもたれかけない状態で最も作業性のよい高さのものである。しかしこの発明は従来のそのような視点には立たず、流し台の前縁を身体を寄りかからせる部分として流用する事と、加温機能とを組み合わせる事により、上述の算定基準の拘束から離れたものである。
　具体的な手段のポイントの第一は広い面積で身体を受け止める事であり、ポイントの第二は身長差によって生ずる前傾姿勢の角度の相違による人体と流し台との接触の際の違和感を解消する事にある。流し台上面１の高さを一定とした時、一般的に身長が低い主婦の場合には前傾姿勢が浅く身長が高い主婦の場合には逆に前傾姿勢が深くなる。従って流し台と人体とが接触する角度は身長によって変化するのであるが図１に示すごとく流し台前縁を広くなだらかな曲面で形成する事によってどのような前傾姿勢であっても柔軟に対応できる。前縁の形状４はこの実施例で用いた曲線であって１対２の比率の楕円の４分の１の部分を用いた。これによって前傾姿勢の角度に関わらず広い面積で人体に接触するので腹部にかかる局所的な荷重を分散して身体を心地よく支える事ができ、その結果誰がもたれかかっても違和感がなく長時間に及ぶ作業でも疲労が少ない。
　
【発明の効果】
【０００６】
　流し台の前縁が広くなだらかな曲面で構成されるので身長差に関わらず主婦は違和感なく流し台にもたれかかって作業ができる。この時主婦と流し台とが接触する部分が加温されているので極めて心地よく長時間にわたり快適に作業ができるうえに婦人特有の疾病の予防ができる。
　
【発明を実施するための最良の形態】
【０００７】
　図１に示す如く、前縁の形状４はこの実施例で用いた曲線であって１対２の比率の楕円の４分の１の部分を用いている。この時流し台の前縁はおよそ７５ｍｍ前方にせり出しているが、この距離は標準的な身長と体重の主婦が流し台の前に立ったとき、足先が流し台の前面の最下部に接触している状態で軽い前傾姿勢となる。従ってより好ましくは流し台下部に足先部分を収容する事ができる充分な空間を確保すれば上記の７５ｍｍの前方へのせり出しは必要なく空間効率の良い流し台となる事は自明である。
　また逆に、全てのせり出し部分をなくすのでなく、流し台前縁に飛散した水滴が床方向に落下した時に流し台下部の扉の表面やその取っ手などの構造物に付着しない程度のせりだし部分を残しておく事も好ましい処置である事はいうまでもない。この時には、このせり出し部分と流し台の前面上部との間にできる内部空間は加温機構を配するに足る充分なスペ−スとなる事はいうまでもない。また各種の配線や配管などを配置する事もできる。さらにその下部の外部空間には手拭きタオルや布巾などをつるしておくハンガ−を設定したり、レ−ルなどを配して調理器具や調味料入れなどを移動可能な形態で提供できるなどのほかに、各種のオプション器具等を流し台にしっかりと固定する為の機構を配する事にも利用できる。
　さらに、流し台前縁の最下端部分を切断面のまま放置するのではなく、流し台の内側方向に適当な半径の曲面で折り曲げて形成しておけば、手指を怪我する事なくより安全であると同時に、人体が寄りかかった時に流し台前縁が受ける荷重に対してより大きな余裕をもって受け止める事ができる事は自明である。
　さらに、前縁の形状４は楕円の４分の１よりも少し広い部分を用いればより好ましい。即ち前縁下部は少し丸みを帯びて人体に接触するのでデザイン上の観点からも柔らかい感触を与えるであろうし、また前縁上部は流し台上面１よりも少し高くなるので流し台上面１に飛散した水滴等が人体方向へ流れず接触部２を濡らす事がなくなるからである。
　また図１に示す実施例では流し台前縁の形状４は左右方向に直線であるが，これは本発明にとって必ずしも必要な条件ではなく，人体との接触部分を増加させる意味で奥行き方向に凹状の湾曲部を設ける事や，デザイン上の観点から凸状に形成する事や、あるいは上下方向に湾曲部を設定する事などを否定しているものではない。
　また本発明は流し台前縁の全領域にわたって広くなだらかに形成する必要はなく、必要な部分に限定して施す事を否定しているものではない。
　この発明の思想は流し台や洗面台に限らず立ち仕事を行う事を前提に制作された作業台などの改良にも応用できるものである。
　
【実施例１】
【０００８】
　図１は流し台の前縁の詳細な形状である。１は流し台上面、２は接触部、３は加温部、４は前縁の形状である。
接触部２のポイントの第一は広い面積で身体を受け止める事であり、ポイントの第二は身長差によって生ずる前傾姿勢の角度の相違による人体と流し台との接触の際の違和感を解消する事にある。図１に示すごとく流し台前縁を広くなだらかな曲面で形成する事によってどのような前傾姿勢であっても柔軟に対応できる。前縁の形状４はこの実施例で用いた曲線であって１対２の比率の楕円の４分の１の部分である。
　
【図面の簡単な説明】
【０００９】
【図１】流し台の前縁の詳細な形状図
【符号の説明】
【００１０】
　１　　流し台上面
　２　　接触部
　３　　加温部
　４　　前縁の形状
【手続補正書】
【提出日】平成15年10月17日(2003.10.17)
【手続補正１】
【補正対象書類名】明細書
【補正対象項目名】全文
【補正方法】変更
【補正の内容】
【発明の詳細な説明】
【技術分野】
【０００１】
　この発明は台所の流し台や洗面台のような水洗作業などの為に立ち仕事を行う事を前提に制作された器具の改良に関する。以下の説明においては流し台を例にして説明する。
　家庭における主婦の労働の内、食事の準備、提供、後かたづけは毎日の仕事の内でも欠く事のできない重要なものである。この時、食材や食器などの洗浄作業は流し台の高さと身長の関係が適切でなければ前屈みの姿勢になる事を強制されるので腰部に大きな負担がかかりつらい作業になっている。そこで多くの主婦は流し台の前縁に体重をあずけて作業をする事がおおい。
　この姿勢の時、人体との接触部分を加温する事を特徴とする流し台において、流し台と腹部との接触部分の面積を故意に広くとる事によって腹部にかかる局所的な荷重を分散して身体を心地よく支え、流し台の高さと身長との関係が適切でない場合であっても前傾姿勢による腹部や腰部への負担を回避して、身長差にかかわらずだれでも快適に使用できる流し台を安価に提供しようとするものである。
　
【背景技術】
【０００２】
　人体と流し台との間に器具を配し立ち姿勢を保持して長時間作業しても足腰にかかる負担を軽減する事ができるものとして特開平０７−２０４０３８、特開平０９−１６８４８７などが提案されている。
　
【０００３】
　しかし、これらはいずれも流し台の本体前縁にそって棒状体などを配設して身体をささえようとする補助機構であり、加温機能と併設して用いる事を前提としていない。従って流し台の使用者の立場からみれば、従来の手段による身体保持方法は作業開始時にはそれらの身体支持機構を冷たく感じるであろうし、また流し台で水洗作業をしない時にはそれらの補助機構そのものが通行の邪魔となり違和感を与えるという不都合があるため、この種の流し台を広く普及せしめる事ができなかった。
【特許文献１】特開平０７−２０４０３８
【特許文献２】特開平０９−１６８４８７
【発明の開示】
【発明が解決しようとする課題】
【０００４】
　この発明が解決しようとする課題の第一点は、作業中に接触する身体の部位から体温が吸収される事を防止する点にある。
　課題の第二点は、身長に関わらずだれでも快適に作業できる流し台を安価に提供しようとする点にある。
　
【課題を解決するための手段】
【０００５】
　この発明の第一の手段は流し台での作業中に身体と接触する部分を加温するものであり、第二の手段は積極的に身体をもたれかけさせる部分として流し台本体の一部分を流用する点にある。
　一般的に流し台の高さは身長÷２＋５センチが最適とされている。この算定基準は流し台に身体をもたれかけない状態で最も作業性のよい高さのものである。しかしこの発明は従来のそのような視点には立たず、流し台の前縁を身体を寄りかからせる部分として流用する事と、加温機能とを組み合わせる事により、上述の算定基準の拘束から離れたものである。
　具体的な手段のポイントの第一は広い面積で身体を受け止める事であり、ポイントの第二は身長差によって生ずる前傾姿勢の角度の相違による人体と流し台との接触の際の違和感を解消する事にある。流し台上面１の高さを一定とした時、一般的に身長が低い主婦の場合には前傾姿勢が浅く身長が高い主婦の場合には逆に前傾姿勢が深くなる。従って流し台と人体とが接触する角度は身長によって変化するのであるが図１に示すごとく流し台前縁を広くなだらかな曲面で形成する事によってどのような前傾姿勢であっても柔軟に対応できる。前縁の形状４はこの実施例で用いた曲線であって１対２の比率の楕円の４分の１の部分を用いた。これによって前傾姿勢の角度に関わらず広い面積で人体に接触するので腹部にかかる局所的な荷重を分散して身体を心地よく支える事ができ、その結果誰がもたれかかっても違和感がなく長時間に及ぶ作業でも疲労が少ない。
　
【発明の効果】
【０００６】
　流し台の前縁が広くなだらかな曲面で構成されるので身長差に関わらず主婦は違和感なく流し台にもたれかかって作業ができる。この時主婦と流し台とが接触する部分が加温されているので極めて心地よく長時間にわたり快適に作業ができるうえに婦人特有の疾病の予防ができる。
　
【発明を実施するための最良の形態】
【０００７】
　図１に示す如く、前縁の形状４はこの実施例で用いた曲線であって１対２の比率の楕円の４分の１の部分を用いている。この時流し台の前縁はおよそ７５ｍｍ前方にせり出しているが、この距離は標準的な身長と体重の主婦が流し台の前に立ったとき、足先が流し台の前面の最下部に接触している状態で軽い前傾姿勢となる。従ってより好ましくは流し台下部に足先部分を収容する事ができる充分な空間を確保すれば上記の７５ｍｍの前方へのせり出しは必要なく空間効率の良い流し台となる事は自明である。
　また逆に、全てのせり出し部分をなくすのでなく、流し台前縁に飛散した水滴が床方向に落下した時に流し台下部の扉の表面やその取っ手などの構造物に付着しない程度のせりだし部分を残しておく事は好ましい処置である事はいうまでもない。
　この時には、このせり出し部分と流し台の前面上部との間にできる内部空間は加温機構を配するに足る充分なスペ−スとなる事はいうまでもない。また各種の配線や配管などを配置する事もできる。また表示窓を設けて液晶表示器などによって情報提供すればより好ましい。（時計兼クッキングタイマ−、料理のレシピ、玄関モニタ−の表示、風呂場の室温や湯温や湯量、インタ−フォン機能などが、家庭内でのＬＡＮを構築していれば可能である。）
　さらに、上記せり出し部分の下部の外部空間には手拭きタオルや布巾などをつるしておくハンガ−を設定したり、レ−ルなどを配して調理器具や調味料入れなどを移動可能な形態で提供できるなどのほかに、各種のオプション器具等を流し台にしっかりと固定する為の機構を配する事にも利用できる。またそれらの器具への電源供給コンセントやスイッチ類、制御つまみなどを配置する事もできる。
　さらに、流し台前縁の最下端部分を切断面のまま放置するのではなく、流し台の内側方向に適当な半径の曲面で折り曲げて形成しておけば、手指を怪我する事なくより安全であると同時に、人体が寄りかかった時に流し台前縁が受ける荷重に対してより大きな余裕をもって受け止める事ができる事は自明である。
　さらに、前縁の形状４は楕円の４分の１よりも少し広い部分を用いればより好ましい。即ち前縁下部は少し丸みを帯びて人体に接触するのでデザイン上の観点からも柔らかい感触を与えるであろうし、また前縁上部は流し台上面１よりも少し高くなるので流し台上面１に飛散した水滴等が人体方向へ流れず接触部２を濡らす事がなくなるからである。
　また図１に示す実施例では流し台前縁の形状４は左右方向に直線であるが，これは本発明にとって必ずしも必要な条件ではなく，人体との接触部分を増加させる意味で奥行き方向に凹状の湾曲部を設ける事や，デザイン上の観点から凸状に形成する事や、あるいは上下方向に湾曲部を設定する事などを否定しているものではない。
　また本発明は流し台前縁の全領域にわたって広くなだらかに形成する必要はなく、必要な部分に限定して施す事を否定しているものではない。
　この発明の思想は流し台や洗面台に限らず立ち仕事を行う事を前提に制作された作業台などの改良にも応用できるものである。
　
【実施例１】
【０００８】
　図１は流し台の前縁の詳細な形状である。１は流し台上面、２は接触部、３は加温部、４は前縁の形状である。
接触部２のポイントの第一は広い面積で身体を受け止める事であり、ポイントの第二は身長差によって生ずる前傾姿勢の角度の相違による人体と流し台との接触の際の違和感を解消する事にある。図１に示すごとく流し台前縁を広くなだらかな曲面で形成する事によってどのような前傾姿勢であっても柔軟に対応できる。前縁の形状４はこの実施例で用いた曲線であって１対２の比率の楕円の４分の１の部分である。
　
【図面の簡単な説明】
【０００９】
【図１】流し台の前縁の詳細な形状図
【符号の説明】
【００１０】
　１　　流し台上面
　２　　接触部
　３　　加温部
　４　　前縁の形状
【手続補正書】
【提出日】平成15年10月20日(2003.10.20)
【手続補正１】
【補正対象書類名】明細書
【補正対象項目名】全文
【補正方法】変更
【補正の内容】
【発明の詳細な説明】
【技術分野】
【０００１】
　この発明は台所の流し台や洗面台のような水洗作業などの為に立ち仕事を行う事を前提に制作された器具の改良に関する。以下の説明においては流し台を例にして説明する。
　家庭における主婦の労働の内、食事の準備、提供、後かたづけは毎日の仕事の内でも欠く事のできない重要なものである。この時、食材や食器などの洗浄作業は流し台の高さと身長の関係が適切でなければ前屈みの姿勢になる事を強制されるので腰部に大きな負担がかかりつらい作業になっている。そこで多くの主婦は流し台の前縁に体重をあずけて作業をする事がおおい。
　この姿勢の時、人体との接触部分を加温する事を特徴とする流し台において、流し台と腹部との接触部分の面積を故意に広くとる事によって腹部にかかる局所的な荷重を分散して身体を心地よく支え、流し台の高さと身長との関係が適切でない場合であっても前傾姿勢による腹部や腰部への負担を回避して、身長差にかかわらずだれでも快適に使用できる流し台を安価に提供しようとするものである。
　
【背景技術】
【０００２】
　人体と流し台との間に器具を配し立ち姿勢を保持して長時間作業しても足腰にかかる負担を軽減する事ができるものとして特開平０７−２０４０３８、特開平０９−１６８４８７などが提案されている。
　
【０００３】
　しかし、これらはいずれも流し台の本体前縁にそって棒状体などを配設して身体をささえようとする補助機構であり、加温機能と併設して用いる事を前提としていない。従って流し台の使用者の立場からみれば、従来の手段による身体保持方法は作業開始時にはそれらの身体支持機構を冷たく感じるであろうし、また流し台で水洗作業をしない時にはそれらの補助機構そのものが通行の邪魔となり違和感を与えるという不都合があるため、この種の流し台を広く普及せしめる事ができなかった。
【特許文献１】特開平０７−２０４０３８
【特許文献２】特開平０９−１６８４８７
【発明の開示】
【発明が解決しようとする課題】
【０００４】
　この発明が解決しようとする課題の第一点は、作業中に接触する身体の部位から体温が吸収される事を防止する点にある。
　課題の第二点は、身長に関わらずだれでも快適に作業できる流し台を安価に提供しようとする点にある。
　
【課題を解決するための手段】
【０００５】
　この発明の第一の手段は流し台での作業中に身体と接触する部分を加温するものであり、第二の手段は積極的に身体をもたれかけさせる部分として流し台本体の一部分を流用する点にある。
　一般的に流し台の高さは身長÷２＋５センチが最適とされている。この算定基準は流し台に身体をもたれかけない状態で最も作業性のよい高さのものである。しかしこの発明は従来のそのような視点には立たず、流し台の前縁を身体を寄りかからせる部分として流用する事と、加温機能とを組み合わせる事により、上述の算定基準の拘束から離れたものである。
　具体的な手段のポイントの第一は広い面積で身体を受け止める事であり、ポイントの第二は身長差によって生ずる前傾姿勢の角度の相違による人体と流し台との接触の際の違和感を解消する事にある。流し台上面１の高さを一定とした時、一般的に身長が低い主婦の場合には前傾姿勢が浅く身長が高い主婦の場合には逆に前傾姿勢が深くなる。従って流し台と人体とが接触する角度は身長によって変化するのであるが図１に示すごとく流し台前縁を広くなだらかな曲面で形成する事によってどのような前傾姿勢であっても柔軟に対応できる。前縁の形状４はこの実施例で用いた曲線であって１対２の比率の楕円の４分の１の部分を用いた。これによって前傾姿勢の角度に関わらず広い面積で人体に接触するので腹部にかかる局所的な荷重を分散して身体を心地よく支える事ができ、その結果誰がもたれかかっても違和感がなく長時間に及ぶ作業でも疲労が少ない。
　
【発明の効果】
【０００６】
　流し台の前縁が広くなだらかな曲面で構成されるので身長差に関わらず主婦は違和感なく流し台にもたれかかって作業ができる。この時主婦と流し台とが接触する部分が加温されているので極めて心地よく長時間にわたり快適に作業ができるうえに婦人特有の疾病の予防ができる。
　
【発明を実施するための最良の形態】
【０００７】
　図１に示す如く、前縁の形状４はこの実施例で用いた曲線であって１対２の比率の楕円の４分の１の部分を用いている。この時流し台の前縁はおよそ７５ｍｍ前方にせり出しているが、この距離は標準的な身長と体重の主婦が流し台の前に立ったとき、足先が流し台の前面の最下部に接触している状態で軽い前傾姿勢となる。従ってより好ましくは流し台下部に足先部分を収容する事ができる充分な空間を確保すれば上記の７５ｍｍの前方へのせり出しは必要なく空間効率の良い流し台となる事は自明である。
　また逆に、全てのせり出し部分をなくすのでなく、流し台前縁に飛散した水滴が床方向に落下した時に流し台下部の扉の表面やその取っ手などの構造物に付着しない程度のせりだし部分を残しておく事は好ましい処置である事はいうまでもない。
　さらに、このせり出し部分は流し台の機能向上の為に積極的に活用できる。即ち、このせり出し部分と流し台の前面上部との間にできる内部空間は加温機構を配するに足る充分なスペ−スとなる事はいうまでもなく、各種の配線や配管などを配置する事ができる。また表示窓を設けて液晶表示器などによって情報提供すればより好ましい。（時計兼クッキングタイマ−、料理のレシピ、玄関モニタ−の表示、風呂場の室温や湯温や湯量、インタ−フォン機能などが、家庭内でのＬＡＮを構築していれば可能である。さらにインタ−ネットに接続していれば遠隔操作や監視などが可能である。またＴＶチュ−ナ−などを内蔵していればＴＶを視聴しながら調理作業などができる。）またこの機能はより見やすいように大型の表示器で流し台本体あるいはその近傍に適宜配されれば、より好ましい事はいうまでもない。
　また光電センサや近接スイッチ、あるいは人体の発する赤外線を検知するセンサなどの出力信号を微分処理する事によって移動する人体である事を検知する人体検知機構を配して、数分間のオフディレ−タイマ−とを組み合わせる事により、流し台の照明機構などの電源を自動的に入り切りできる。
　また温度センサなどを適宜配しておけば無人の時の火災発生などの危険を自動的に検知できる。
　さらに、足元のみの照明を目的とした機構をはじめ、扉の開閉に連動した収納室内の照明や、タイマ−等によって定期的に起動される殺菌・殺虫の為の機構（例えば殺菌灯や電撃殺虫器）などを配する事ができる。
　また別の観点から、上記せり出し部分の下部の外部空間には手拭きタオルや布巾などをつるしておくハンガ−を設置したり、レ−ルなどを配して調理器具や調味料入れなどを移動可能な形態で提供できるなどのほかに、各種のオプション器具等を流し台にしっかりと固定する為の機構を配する事にも利用できる。またそれらの器具への電源供給コンセントやスイッチ類、制御つまみなどを配置する事もできる。
　さらに、流し台前縁の最下端部分を切断面のまま放置するのではなく、流し台の内側方向に適当な半径の曲面で折り曲げて形成しておけば、手指を怪我する事なくより安全であると同時に、人体が寄りかかった時に流し台前縁が受ける荷重に対してより大きな余裕をもって受け止める事ができる事は自明である。
　さらに、前縁の形状４は楕円の４分の１よりも少し広い部分を用いればより好ましい。即ち前縁下部は少し丸みを帯びて人体に接触するのでデザイン上の観点からも柔らかい感触を与えるであろうし、また前縁上部は流し台上面１よりも少し高くなるので流し台上面１に飛散した水滴等が人体方向へ流れず接触部２を濡らす事がなくなるからである。
　また図１に示す実施例では流し台前縁の形状４は左右方向に直線であるが，これは本発明にとって必ずしも必要な条件ではなく，人体との接触部分を増加させる意味で奥行き方向に凹状の湾曲部を設ける事や，デザイン上の観点から凸状に形成する事や、あるいは上下方向に湾曲部を設定する事などを否定しているものではない。
　また本発明は流し台前縁の全領域にわたって広くなだらかに形成する事を求めているのではなく、必要な部分に限定して施す事を否定しているものではない。
　また、本発明の流し台を構成する材料としては、必ずしもステンレス鋼などの耐腐食性金属を使用する必要はなく、強度や耐久性などに優れた高分子樹脂等によって駆体を含めて一体的に形成されるものであってもこの発明の効果が発揮される事はいうまでもない。
　この発明の思想は流し台や洗面台に限らず立ち仕事を行う事を前提に制作された作業台などの改良にも応用できるものである。
　
【実施例１】
【０００８】
　図１は流し台の前縁の詳細な形状である。１は流し台上面、２は接触部、３は加温部、４は前縁の形状である。
接触部２のポイントの第一は広い面積で身体を受け止める事であり、ポイントの第二は身長差によって生ずる前傾姿勢の角度の相違による人体と流し台との接触の際の違和感を解消する事にある。図１に示すごとく流し台前縁を広くなだらかな曲面で形成する事によってどのような前傾姿勢であっても柔軟に対応できる。前縁の形状４はこの実施例で用いた曲線であって１対２の比率の楕円の４分の１の部分である。
　
【図面の簡単な説明】
【０００９】
【図１】流し台の前縁の詳細な形状図
【符号の説明】
【００１０】
　１　　流し台上面
　２　　接触部
　３　　加温部
　４　　前縁の形状
【手続補正書】
【提出日】平成15年10月23日(2003.10.23)
【手続補正１】
【補正対象書類名】明細書
【補正対象項目名】全文
【補正方法】変更
【補正の内容】
【発明の詳細な説明】
【技術分野】
【０００１】
　この発明は台所の流し台や洗面台のような水洗作業などの為に立ち仕事を行う事を前提に制作された器具の改良に関する。以下の説明においては流し台を例にして説明する。
　家庭における主婦の労働の内、食事の準備、提供、後かたづけは毎日の仕事の内でも欠く事のできない重要なものである。この時、食材や食器などの洗浄作業は流し台の高さと身長の関係が適切でなければ前屈みの姿勢になる事を強制されるので腰部に大きな負担がかかりつらい作業になっている。そこで多くの主婦は流し台の前縁に体重をあずけて作業をする事がおおい。
　この姿勢の時、人体との接触部分を加温する事を特徴とする流し台において、流し台と腹部との接触部分の面積を故意に広くとる事によって腹部にかかる局所的な荷重を分散して身体を心地よく支え、流し台の高さと身長との関係が適切でない場合であっても前傾姿勢による腹部や腰部への負担を回避して、身長差にかかわらずだれでも快適に使用できる流し台を安価に提供しようとするものである。
　
【背景技術】
【０００２】
　人体と流し台との間に器具を配し立ち姿勢を保持して長時間作業しても足腰にかかる負担を軽減する事ができるものとして特開平０７−２０４０３８、特開平０９−１６８４８７などが提案されている。
　
【０００３】
　しかし、これらはいずれも流し台の本体前縁にそって棒状体などを配設して身体をささえようとする補助機構であり、加温機能と併設して用いる事を前提としていない。従って流し台の使用者の立場からみれば、従来の手段による身体保持方法は作業開始時にはそれらの身体支持機構を冷たく感じるであろうし、また流し台で水洗作業をしない時にはそれらの補助機構そのものが通行の邪魔となり違和感を与えるという不都合があるため、この種の流し台を広く普及せしめる事ができなかった。
【特許文献１】特開平０７−２０４０３８
【特許文献２】特開平０９−１６８４８７
【発明の開示】
【発明が解決しようとする課題】
【０００４】
　この発明が解決しようとする課題の第一点は、作業中に接触する身体の部位から体温が吸収される事を防止する点にある。
　課題の第二点は、身長に関わらずだれでも快適に作業できる流し台を安価に提供しようとする点にある。
　
【課題を解決するための手段】
【０００５】
　この発明の第一の手段は流し台での作業中に身体と接触する部分を加温するものであり、第二の手段は積極的に身体をもたれかけさせる部分として流し台本体の一部分を流用する点にある。
　一般的に流し台の高さは身長÷２＋５センチが最適とされている。この算定基準は流し台に身体をもたれかけない状態で最も作業性のよい高さのものである。しかしこの発明は従来のそのような視点には立たず、流し台の前縁を身体を寄りかからせる部分として流用する事と、加温機能とを組み合わせる事により、上述の算定基準の拘束から離れたものである。
　具体的な手段のポイントの第一は広い面積で身体を受け止める事であり、ポイントの第二は身長差によって生ずる前傾姿勢の角度の相違による人体と流し台との接触の際の違和感を解消する事にある。流し台上面１の高さを一定とした時、一般的に身長が低い主婦の場合には前傾姿勢が浅く身長が高い主婦の場合には逆に前傾姿勢が深くなる。従って流し台と人体とが接触する角度は身長によって変化するのであるが図１に示すごとく流し台前縁を広くなだらかな曲面で形成する事によってどのような前傾姿勢であっても柔軟に対応できる。前縁の形状４はこの実施例で用いた曲線であって１対２の比率の楕円の４分の１の部分を用いた。これによって前傾姿勢の角度に関わらず広い面積で人体に接触するので腹部にかかる局所的な荷重を分散して身体を心地よく支える事ができ、その結果誰がもたれかかっても違和感がなく長時間に及ぶ作業でも疲労が少ない。
　
【発明の効果】
【０００６】
　流し台の前縁が広くなだらかな曲面で構成されるので身長差に関わらず主婦は違和感なく流し台にもたれかかって作業ができる。この時主婦と流し台とが接触する部分が加温されているので極めて心地よく長時間にわたり快適に作業ができるうえに婦人特有の疾病の予防ができる。
　
【発明を実施するための最良の形態】
【０００７】
　図１に示す如く、前縁の形状４はこの実施例で用いた曲線であって１対２の比率の楕円の４分の１の部分を用いている。この時流し台の前縁はおよそ７５ｍｍ前方にせり出しているが、この距離は標準的な身長と体重の主婦が流し台の前に立ったとき、足先が流し台の前面の最下部に接触している状態で軽い前傾姿勢となる。従ってより好ましくは流し台下部に足先部分を収容する事ができる充分な空間を確保すれば上記の７５ｍｍの前方へのせり出しは必要なく空間効率の良い流し台となる事は自明である。
　また逆に、全てのせり出し部分をなくすのでなく、流し台前縁に飛散した水滴が床方向に落下した時に流し台下部の扉の表面やその取っ手などの構造物に付着しない程度のせりだし部分を残しておく事は好ましい処置である事はいうまでもない。
　さらに、このせり出し部分は流し台の機能向上の為に積極的に活用できる。即ち、このせり出し部分と流し台の前面上部との間にできる内部空間は加温機構を配するに足る充分なスペ−スとなる事はいうまでもなく、各種の配線や配管などを配置する事ができる。また表示窓を設けて液晶表示器などによって情報提供すればより好ましい。（時計兼クッキングタイマ−、料理のレシピ、玄関モニタ−の表示、風呂場の室温や湯温や湯量、インタ−フォン機能などが、家庭内でのＬＡＮを構築していれば可能である。さらにインタ−ネットに接続していれば遠隔操作や監視あるいはＩＰ電話などが可能である。またチュ−ナ−などを内蔵していればＴＶなどを視聴しながら調理作業などができる。）またこの機能はより見やすいように大型の表示器で流し台本体あるいはその近傍に適宜配されれば、より好ましい事はいうまでもない。
　また光電センサや近接スイッチ、あるいは人体の発する赤外線を検知するセンサなどの出力信号を微分処理する事によって移動する人体である事を検知する人体検知機構を配して、数分間のオフディレ−タイマ−とを組み合わせる事により、流し台の照明機構などの電源を自動的に入り切りできる。またその信号によって調理の熱源などを制御すれば火災事故の発生を未然に防止できる。
　また温度センサなどを適宜配しておけば無人の時の火災発生などの危険を自動的に検知し、警報し、消防への通報も可能である。
　さらに、足元のみの照明を目的とした機構をはじめ、扉の開閉に連動した収納室内の照明や、タイマ−等によって定期的に起動される殺菌・殺虫の為の機構（例えば殺菌灯や電撃殺虫器）などを配する事ができる。
　また別の観点から、上記せり出し部分の下部の外部空間には手拭きタオルや布巾などをつるしておくハンガ−を設置したり、レ−ルなどを配して調理器具や調味料入れなどを移動可能な形態で提供できるなどのほかに、各種のオプション器具等を流し台にしっかりと固定する為の機構を配する事にも利用できる。またそれらの器具への電源供給コンセントやスイッチ類、制御つまみなどを配置する事もできる。
　さらに、流し台前縁の最下端部分を切断面のまま放置するのではなく、流し台の内側方向に適当な半径の曲面で折り曲げて形成しておけば、手指を怪我する事なくより安全であると同時に、人体が寄りかかった時に流し台前縁が受ける荷重に対してより大きな余裕をもって受け止める事ができる事は自明である。
　さらに、前縁の形状４は楕円の４分の１よりも少し広い部分を用いればより好ましい。即ち前縁下部は少し丸みを帯びて人体に接触するのでデザイン上の観点からも柔らかい感触を与えるであろうし、また前縁上部は流し台上面１よりも少し高くなるので流し台上面１に飛散した水滴等が人体方向へ流れず接触部２を濡らす事がなくなるからである。
　また図１に示す実施例では流し台前縁の形状４は左右方向に直線であるが，これは本発明にとって必ずしも必要な条件ではなく，人体との接触部分を増加させる意味で奥行き方向に凹状の湾曲部を設ける事や，デザイン上の観点から凸状に形成する事や、あるいは上下方向に湾曲部を設定する事などを否定しているものではない。
　また本発明は流し台前縁の全領域にわたって広くなだらかに形成する事を求めているのではなく、必要な部分に限定して施す事を否定しているものではない。
　また、本発明の流し台を構成する材料としては、必ずしもステンレス鋼板などの耐腐食性金属を使用する必要はなく、強度や耐久性などに優れた高分子樹脂等によって駆体を含めて一体的に形成されるものであってもこの発明の効果が発揮される事はいうまでもない。またその際にはまな板機能を有する部分や調味料や洗剤などの置き場などを含めて形成させる事も可能である。
　この発明の思想は流し台や洗面台に限らず立ち仕事を行う事を前提に制作された作業台などの改良にも応用できるものである。
　
【実施例１】
【０００８】
　図１は流し台の前縁の詳細な形状である。１は流し台上面、２は接触部、３は加温部、４は前縁の形状である。
接触部２のポイントの第一は広い面積で身体を受け止める事であり、ポイントの第二は身長差によって生ずる前傾姿勢の角度の相違による人体と流し台との接触の際の違和感を解消する事にある。図１に示すごとく流し台前縁を広くなだらかな曲面で形成する事によってどのような前傾姿勢であっても柔軟に対応できる。前縁の形状４はこの実施例で用いた曲線であって１対２の比率の楕円の４分の１の部分である。
　
【図面の簡単な説明】
【０００９】
【図１】流し台の前縁の詳細な形状図
【符号の説明】
【００１０】
　１　　流し台上面
　２　　接触部
　３　　加温部
　４　　前縁の形状